(57)【要約】【課題】  チューブ容器の内容物のすべてを容易に抽出することができ、同時に容器製造時の選択により、使用時の内容物の減る量に応じた内容積を持つチューブ容器の実現を可能にできる。なおかつ、既存のチューブ容器のキャップ部及び口部形状は、そのまま利用可能なため、製作性やコストの面からも充分に配慮した、チューブ容器を提供することを課題とする。【解決手段】  内容物を収容する容器胴部を蛇腹状にすることにより、内容物抽出の際に既存のチューブ容器のようにその胴部を左右方向（両横方向）から圧迫するのみならず、上下方向（縦方向）からも圧迫し外圧をかけることが可能となるため、胴部内の内容物を容易に抽出することができる。そして、最終的には、容器底部に設けた最適形状の突起部を、抽出口に押し込むことにより、容器肩部内及び抽出口部内の内容物、ひいては容器内のすべての内容物を完全に抽出してしまうことを特徴とするチューブ容器。【選択図】  図１
2006256647.tif 000002
【特許請求の範囲】
【請求項１】
内容物を収容する容器胴部を蛇腹状にすると共に、容器底部に、容器抽出口の形状及び容器肩部の形状及び容器胴部蛇腹の最縮時形状及び使用材料に合った形状の突起部を設けることを特徴とした、内容物のすべてを容易に抽出することができるチューブ容器。
【請求項２】
容器胴部の蛇腹形状と、胴部使用材料を変えることにより、内容物の量に応じた内容積を持つ容器の作成も可能であることを特徴とする、請求項１記載のチューブ容器。
【発明の詳細な説明】
【技術分野】
【０００１】
本発明は、チューブ容器に関するもので、更に詳しくは、チューブ容器の内容物が容易にすべて抽出できるチューブ容器に関するものである。
【背景技術】
【０００２】
従来のチューブ容器はその代表例として図７に示すチューブ容器であり、抽出口部12を形成した頭部13と、頭部13から下方へ一様に傾斜した肩部14、肩部14の下方に続く内容物を収容する胴部15とからなるものである。使用時に外圧を加えることにより、内容物（例：ハミガキ・マヨネーズ・ねりわさび等）を抽出するだけのものであった。従って、容器内に内容物が一定量ある間は抽出が容易であるが、内容物が減ってくると次第に抽出が困難となり、即座の抽出や完全な抽出ができないという課題が残っている。
【発明の開示】
【発明が解決しようとする課題】
【０００３】
上述の従来チューブ容器代表例図７においては、頭部13及び肩部14は、キャップを取り付けるために肉厚を厚くし強度を保持してあり、胴部内空間21内の内容物がすべて押し出された後にも、肩部内空間20内及び抽出口部内空間19内に内容物が残存するという欠点があった。
【０００４】
そして、この肉厚の厚い肩部14を手で潰して内容物を押し出すためには、大きな指の力が必要であり、子供・女性・老人に至っては極めて困難なことであり、たとえ、その部分の内容物が押し出せたとしても、次の抽出口部内空間19内に残る内容物まではとても押し出すことはできなかった。こうした、肩部内空間20内及び抽出口部内空間19内の内容物が残存した状態で捨ててしまうことは、資源の無駄にもなる。
【０００５】
また、従来のチューブ容器図７のもう一つの欠点として、内容物の量が減っても容器の内容積が変わらないため、内容物の減少に伴い容器内に余分の空間ができ、内容物の量が減れば減るほど容器内の空間が増大し、内容物を抽出するに際しては、まず容器の空間部分を手で潰し内容物の上にある空気を除き、かつ、その状態を保ったまま下に溜まった内容物を抽出口まで、押し出さなければならず、この間の時間と労力、心理的な負担は甚大であった。この解決のためには、唯一、抽出口を下にして保存する方法があるが、内容物の噴き出しや衛生的な面からも、課題が残るものである。
【０００６】
本発明は、このような点に鑑みて成されたものであり、内容物のすべてを容易に押し出し抽出することができるものである。そして、同時に容器製造時の選択により、内容物の量に応じた容器内容積を可能にすることもできるチューブ容器である。
【課題を解決するための手段】
【０００７】
本発明によるチューブ容器は、容器胴部の蛇腹形状と、容器底部に設ける突起により、上述の課題をすべて解決することに成功した。
【０００８】
容器胴部の蛇腹形状であるが、胴部全体を蛇腹にすることにより、従来チューブ容器のような、容器胴部の左右方向（両横方向）からのみの圧迫による内容物抽出ではなく、上下方向（縦方向）からの圧迫による内容物抽出が可能となり、容器胴部においてはほぼ完全に近い内容物抽出が実現される。
【０００９】
しかし、これは容器胴部の左右方向（両横方向）からの圧迫を否定するものではなく、むしろ容器胴部を形状記憶のような元の蛇腹形状に戻りやすい材料を使用することにより、更にその使い良さを発揮し、容器内の内容物の量に応じて上下・左右方向（縦・両横方向）どちらからでも、外圧を加えて内容物を抽出できるという、使い勝手の良いものとなる。
【００１０】
また、容器製造時の選択により、容器胴部の上下方向（縦方向）からの圧迫による内容物抽出については、容器胴部の材料と蛇腹形状の工夫により、たたみ易く一旦縮んだ蛇腹部分が伸びにくい形状の蛇腹の一例である図８の22の様な蛇腹とすることにより、内容物の量に応じた最適の内容積を持つチューブ容器の製造も可能となる。これにより、内容物が空気に触れる面積が少なくなり衛生面も改善される。
【００１１】
だが、これについてはあくまで応用であり、必ずしも容器の蛇腹部分を伸びにくくし、内容物の量に応じた最適の内容積を持つ容器とすることにこだわるものではなく、従来のような、内容物抽出時以外は元の形状に近い形に戻る容器の製造、その両方に蛇腹チューブ容器を利用するものである。そして、チューブ容器の使用目的や内容物にあった方を製造時選択すればよいであろう。
【００１２】
容器胴部内においてほぼ完全に近い内容物の抽出ができた後は、容器底部に設けた、容器抽出口の形状及び容器肩部の形状及び容器胴部蛇腹の最縮時形状及び使用材料に合った形状の突起部を、抽出口に押し込むことにより、容器肩部内や抽出口部内の内容物もすべて押し出し抽出することができる。なおかつ、内容物がすべて出つくした容器最縮時のときにキャップをすることにより、その状態から容器内に空気が入らないため、製造時の材料により異なるが、容器最伸時（内容物充てん時）のサイズの約三分の一以下のサイズとなり、最終的にゴミの少量化にもつながるものである。
【発明の効果】
【００１３】
以上説明したように本発明のチューブ容器における内容物の抽出については、最初の抽出から最後の抽出に至るまで、適度の力を加えるだけで何ら滞ることなく、スムーズになおかつ、誰でも容易にすべて内容物を抽出することができる。そして更に、チューブ容器製造時使用する材料や蛇腹形状を工夫することにより、内容物を抽出する度に減少する内容物の量に最も適した内容積の容器の作成も可能である。本発明の結果、容器内に内容物を残存させることを確実に防ぐことができ、衛生的で資源を無駄にせず、ひいてはゴミの少量化にもつながる、我々人類、特に主婦層の待ち望んでいた、非常に商品価値の高いチューブ容器を提供することができる。
また、介護用品の分野においては、その商品価値は更に高いであろう。
【発明を実施するための最良の形態】
【００１４】
以下、本発明の実施の形態を図面に基づき詳細に説明する。まず、図１・図３・図５は、本発明のチューブ容器の実用例であり、チューブ容器に通常内容物を充てんした場合（容器最伸時）の形状を、内容物抜きで断面図にしたものである。そして、図２・図４・図６は、それぞれ前図のチューブ容器の最縮時の形状を断面図にしたものである。
【００１５】
本発明の第一の目的『資源の無駄を防止し、誰でもスムーズに、なおかつ、容易にすべて内容物を抽出することができるチューブ容器』という大きなテーマを、本発明のチューブ容器の実用例図１〜図６に示す蛇腹式の胴部15と、抽出口の形状に合った突起部16及び肩部の形状に合った突起部17及び胴部蛇腹最縮時の形状に合った突起部18により、実現した。
【００１６】
図１・図３・図５に示すチューブ容器の胴部15の蛇腹部分を、左右方向（両横方向）あるいは、上下方向（縦方向）に適度な力を加え圧迫し、外圧を加えることにより容器胴部内の内容物を、最初の抽出から最後の抽出に至るまで滞りなく完了できる。
【００１７】
容器胴部内において完全に内容物の抽出ができた後、図１・図３・図５に示すチューブ容器肩部14内及び抽出口12内部分に残っている内容物については、容器底部に設けた図１・図３・図５に示す、抽出口の形状に合った突起部16及び肩部の形状に合った突起部17及び胴部蛇腹最縮時の形状に合った突起部18の部分を、抽出口12に押し込むことにより、最終的に図２・図４・図６に示す様なチューブ容器最縮時の形状となり、チューブ容器内のすべての内容物を残さず抽出することが可能となるものである。
【００１８】
容器底部の突起についてであるが、容器胴部及び底部の使用材料の柔軟性が高い場合は、指での圧迫がより容易となるため、抽出口の形状に合う突起のみでも、内容物全部抽出の効果は充分望めるであろう。
【００１９】
突起部16〜18の構造については、内部が空洞でもまたは詰まっていても、どちらでも可能であるが、空洞の方が製造が容易であろう。図１〜図６については空洞の図を示してみた。なお、空洞にした場合は、その部分に商標等の入れ込みもでき利用が可能であろう。
【００２０】
容器胴部の蛇腹部分の製造においては、左右方向（両横方向）からの圧迫による外圧に対し、復元性の高い材料を使用することが大切である。
【００２１】
また、容器胴部の蛇腹部分の製造については、上下方向（縦方向）からの圧迫による外圧に対して、図８の22に示す蛇腹形状の一例の様に、たたみ易くなおかつ一旦縮んだ蛇腹部分が伸びにくい形状及び材料を使うことにより、内容物の減っていく量に応じた内容積を持つチューブ容器の実現も可能となる。内容物の空気に触れる面が少なくなる分、衛生的である。
【００２２】
そして、最終的に図２・図４・図６の様な、チューブ容器最縮時の形状時にキャップをして、その形状を保つことにより、ゴミの少量化も計れる。
既存のチューブ容器のキャップ部及び口部形状は、そのまま利用することも可能なため、本発明の第二の目的『製作性やコストの面からも充分に配慮した、環境にやさしいチューブ容器』という、大きなテーマも実現できる。
【産業上の利用可能性】
【００２３】
本発明は、子供・女性・老人においても楽に内容物を抽出できるという点から、食品・日常生活用品・化粧品等、幅広い分野で活用が望める。また、内容物を完全に使い切ることができるという点から、高価な医薬品・建設用品等においても利用価値は高い。
そして、何より蛇腹という可愛い形状と、無駄がなくゴミの少量化にもなるという点から、子供や女性、特に主婦層からの絶大な熱い指示を受けるものとなるであろう。
また、介護用品としても、その価値をおおいに発揮するであろう。
【図面の簡単な説明】
【００２４】
【図１】本発明のチューブ容器の実用例１（ねりわさび容器等）を示す断面図である。
【図２】図１の最縮時の断面図である。
【図３】本発明のチューブ容器の実用例２（マヨネーズ容器等）を示す断面図である。
【図４】図３の最縮時の断面図である。
【図５】本発明のチューブ容器の実用例３（ハミガキ容器等）を示す断面図である。
【図６】図５の最縮時の断面図である。
【図７】従来のチューブ容器代表例を示す断面図である。
【図８】内容物の量に応じた最適の内容積を持つチューブ容器に使用する、たたみ易く一旦縮んだ蛇腹部分が伸びにくい形状の蛇腹の一例の、断面図である。
【符号の説明】
【００２５】
11    キャップ部
12    抽出口
13    頭部
14    肩部
15    胴部
16    抽出口の形状に合った突起部
17    肩部の形状に合った突起部
18    胴部蛇腹最縮時の形状に合った突起部
19    抽出口部内空間
20    肩部内空間
21    胴部内空間
22    たたみ易く一旦縮んだ蛇腹部分が伸びにくい形状の蛇腹
【図１】
2006256647.tif 000003
【図２】
2006256647.tif 000004
【図３】
2006256647.tif 000005
【図４】
2006256647.tif 000006
【図５】
2006256647.tif 000007
【図６】
2006256647.tif 000008
【図７】
2006256647.tif 000009
【図８】
2006256647.tif 000010